(57)【要約】【課題】多数の同軸ケーブル３からなる同軸ケーブル３郡を基板１に接続するコネクタにおいて、プラグ４を容易且つ適正に挿抜できて、嵌合信頼性の高いコネクタを提供する。【解決手段】ソケット４への挿入方向とは略直角な方向へ同軸ケーブル３郡を引き出すように、プラグ４を同軸ケーブル３郡の端部に接続し、プラグ４のコネクタ長手方向一側端部と他側端部のそれぞれには、サイドロック片４５ａとサイドロック操作部４１ｑとを設け、そのサイドロック操作部４１ｑには、プラグ４を挿抜時に保持するための摘み部４１ｒを一体に設けて置く。プラグ４は一対の摘み部４１ｒを用いて容易且つ適正に保持でき挿抜操作することができる。また、摘み部４１ｒを用いての保持によって、サイドロック操作部４１ｑがサイドロック片４５ａを操作し、サイドロックを解除することができる。【選択図】図３
2008166094.tif 000002
【特許請求の範囲】
【請求項１】
基板の表面に実装する基板側のコネクタと、基板側コネクタへの挿入方向とは略直角な方向へケーブルを引き出すように、そのケーブルの端部に接続するケーブル側のコネクタとを備え、ケーブル側コネクタを基板側コネクタに基板表面とは略垂直な方向へ挿入して、ケーブルを基板に接続させるコネクタにおいて、
ケーブル側コネクタのコネクタ長手方向一端部と他端部のそれぞれに、基板側コネクタへのケーブル側コネクタの完全挿入時に基板側コネクタに自動的に係合するバネ性を持ったサイドロック片と、そのサイドロック片を基板側コネクタに係合しない非作用位置に強制的に変位させる可撓性を持ったサイドロック操作部とを設け、
サイドロック操作部を、サイドロック片の外側でケーブル側コネクタの基板側コネクタへの挿入端部側からケーブル接続端部側へ連続して延びる片持ち梁状に形成し、
サイドロック操作部の自由端部側に、基板側コネクタへのケーブル側コネクタの挿入時及び基板側コネクタからのケーブル側コネクタの抜き去り時にケーブル側コネクタを保持するための摘み部を一体に形成したことを特徴とするコネクタ。
【請求項２】
摘み部をケーブル側コネクタのケーブル接続端部より突出させている請求項１に記載のコネクタ。
【請求項３】
基板側コネクタとケーブル側コネクタのそれぞれは、金属カバーと、その金属カバーでシールドされる絶縁性のボディと、そのボディにコネクタ長手方向に沿って所定のピッチ間隔で並べられて保持される多数のコンタクトとを設け、
サイドロック片をケーブル側コネクタの金属カバーに一体に形成し、サイドロック操作部をケーブル側コネクタのボディに一体に形成している請求項１又は２に記載のコネクタ。
【請求項４】
ケーブル側コネクタのコンタクトのそれぞれをＬ型に形成し、それらの一片をケーブル側コネクタのボディのケーブル接続端部側の表面上でケーブル引き出し方向へ延ばして、コネクタ長手方向に沿って一列に並べて配置し、ケーブルを構成する多数の同軸ケーブルのそれぞれの中心導体を半田接続させるリード部を形成すると共に、
ケーブル側コネクタの金属カバーに、ケーブル側コネクタのボディのケーブル接続端部側をシールドし、且つ、ケーブルを構成する多数の同軸ケーブルのそれぞれの外部導体に接触させる端板部を一体に形成し、
ケーブルを構成する多数の同軸ケーブルを、ケーブル側コネクタのケーブル接続端部から基板側コネクタへのケーブル側コネクタの挿入方向とは略直角な方向へ引き出している請求項３に記載のコネクタ。
【請求項５】
ケーブル側コネクタの金属カバーを、端板部を設ける金属カバーと端板部を設けない金属カバーの２ピース構造とし、
端板部を設けない金属カバーに、ケーブルを構成する多数の同軸ケーブルのそれぞれの外部導体を端板部の端部とで一括に挟持する縁板部を一体に形成している請求項４に記載のコネクタ。
【発明の詳細な説明】
【技術分野】
【０００１】
本発明は、ケーブルを基板に接続するコネクタに関する。
【背景技術】
【０００２】
ケーブルを基板に接続するコネクタの多くは、基板の表面に実装する基板側のコネクタと、ケーブルの端部に接続するケーブル側のコネクタとを備える。接続は、ケーブル側コネクタを基板側コネクタに挿入することで行われる。この接続に際し、ケーブル側コネクタの挿入方向に沿ってケーブルが引き出されていると、ケーブル側コネクタの挿抜に対してケーブルが邪魔になり、ケーブル側コネクタの挿抜操作性が損われる。また、ケーブル側コネクタを基板表面と略平行に挿抜する場合は、ケーブル側コネクタの挿抜操作性が良くないと共に、基板表面にケーブル側コネクタの挿抜用にスペースが必要になり、この部分には部品を実装できなくなる。
【０００３】
このような課題を解決するため、従来、ケーブル側コネクタを基板側コネクタへの挿入方向とは略直角な方向へケーブルを引き出すように、そのケーブルの端部に接続し、そのケーブル側コネクタを基板側コネクタに基板表面とは略垂直な方向へ挿入することで、ケーブルを基板に接続させるコネクタが提案されている。
【０００４】
このような従来のコネクタとしては、特許文献１、２に開示されたものがある。
【特許文献１】特開２００５−１１６４４７号公報
【特許文献２】特開２００６−２２１８６３号公報
【発明の開示】
【発明が解決しようとする課題】
【０００５】
しかしながら、従来のコネクタでは、基板への実装部品としての小型低背化に伴い、ケーブル側コネクタが保持し難くなっていることに加え、ケーブルをケーブル側コネクタの挿入方向とは略直角な方向へ引き出した結果として、ケーブル側コネクタのケーブル接続端部側に、ケーブル側コネクタを挿入方向へ押圧可能なスペースができるために、ケーブル側コネクタを保持することなくケーブル接続端部側を指先等で押すことで挿入される場合が多くなり、この場合、ケーブル側コネクタは斜めに挿入され易く、コネクタを破損させる危険性が高まる。また、ケーブル側コネクタが保持し難くなっているために、ケーブル側コネクタを保持することなくケーブルを引っ張ることで引き抜られる場合が多くなり、この場合、ケーブル側コネクタが斜めに引き抜かれるために、コネクタを破損させたり、ケーブルを断線させる危険性が高まる。さらに、このようなケーブル側コネクタの挿抜に対する問題は、特許文献１、２のように、一列に並べられている多数の細い同軸ケーブルでケーブルが構成されている場合、より顕著に現れることになる。
【課題を解決するための手段】
【０００６】
このような課題を解決するために、本発明は、基板の表面に実装する基板側のコネクタと、基板側コネクタへの挿入方向とは略直角な方向へケーブルを引き出すように、そのケーブルの端部に接続するケーブル側のコネクタとを備え、ケーブル側コネクタを基板側コネクタに基板表面とは略垂直な方向へ挿入して、ケーブルを基板に接続させるコネクタにおいて、ケーブル側コネクタのコネクタ長手方向一端部と他端部のそれぞれに、基板側コネクタへのケーブル側コネクタの完全挿入時に基板側コネクタに自動的に係合するバネ性を持ったサイドロック片と、そのサイドロック片を基板側コネクタに係合しない非作用位置に強制的に変位させる可撓性を持ったサイドロック操作部とを設け、サイドロック操作部を、サイドロック片の外側でケーブル側コネクタの基板側コネクタへの挿入端部側からケーブル接続端部側へ連続して延びる片持ち梁状に形成し、サイドロック操作部の自由端部側に、基板側コネクタへのケーブル側コネクタの挿入時及び基板側コネクタからのケーブル側コネクタの抜き去り時にケーブル側コネクタを保持するための摘み部を一体に形成したことを特徴とする。
【発明の効果】
【０００７】
本発明によれば、基板側コネクタへのケーブル側コネクタの挿入時及び基板側コネクタからのケーブル側コネクタの抜き去り時にケーブル側コネクタを摘み部を用いて、例えば親指と人指し指の２本の指で容易且つ適正に保持できるため、ケーブル側コネクタを容易に挿抜できると共に、ケーブル側コネクタの不適正な挿抜も防止でき、コネクタを破損させたり、ケーブルを断線させる危険性を低減できる。また、基板側コネクタへのケーブル側コネクタの完全挿入時にはサイドロックを掛ける一方で、摘み部をサイドロック操作部に一体に形成したことにより、ケーブル側コネクタの摘み部を用いての保持によってサイドロックを解除できるため、ケーブル側コネクタの挿抜操作性を損なうことなく、基板側コネクタとケーブル側コネクタとの嵌合信頼性を確保できる。
【発明を実施するための最良の形態】
【０００８】
以下、本発明の実施の形態を図面に基づいて説明する。図１は本発明の実施の形態に係るコネクタをコネクタ短手方向に沿って縦に切った嵌合前の断面図、図２は本発明の実施の形態に係るコネクタをコネクタ短手方向に沿って縦に切った嵌合後の断面図、図３は本発明の実施の形態に係るコネクタをコネクタ長手方向に沿って縦に切った嵌合前の断面図、図４は本発明の実施の形態に係るコネクタをコネクタ長手方向に沿って切った嵌合後の断面図である。
【０００９】
図１〜図４に示すように、本実施の形態に係るコネクタは、基板（プリント配線基板）１側のコネクタ（以下、「ソケット」という。）２と、５０本の細い同軸ケーブル３が所定のピッチ間隔の半分のピッチで横一列に並べられて構成されている同軸ケーブル３郡側のコネクタ（以下、「プラグ」という。）４とを備える。ソケット２は、横長な略直方体状の外形を有し、基板１の表面１ａに実装される。プラグ４は、横長な略直方体状の外形を有し、ソケット２への挿入方向（図１、図３の矢印Ｙで示す方向）とは略直角な方向（図１の矢印Ｘで示す方向）へ同軸ケーブル３郡を引き出すように、その同軸ケーブル３郡の端部に接続される。そして、プラグ４をソケット２に基板表面１ａとは略垂直な方向（図１，図３の矢印Ｙで示す方向）へ挿入して嵌合し、同軸ケーブル３郡を基板１に接続する。なお、同軸ケーブル３郡を構成している細い同軸ケーブル３のそれぞれは、中心導体３ａを内部絶縁被膜３ｂで覆い、その外側に外部導体３ｃを設け、さらに外部導体３ｃの外側を外皮３ｄで覆った構造になっている。
【００１０】
図５はソケットを分解した状態を示す斜視図、図６（Ａ）はソケットの外観を示す斜視図、図６（Ｂ）はソケットの外観を示す底面図、図６（Ｃ）はソケットの外観を示す側面図である。次に、図１〜図６を参照してソケット２を説明する。
【００１１】
図５に示すように、ソケット２は、ボディ２１と、２５本の第１のコンタクト２２及び２５本の第２のコンタクト２３からなる５０本のコンタクトと、第１金属カバー２４及び第２金属カバー２５からなる２ピース構造の金属カバーとから構成される。
【００１２】
図１〜図６に示すように、ボディ２１は、絶縁性の合成樹脂材料からなる成型品であり、横長な略直方体状の外形を有し、ソケット２の実装時に基板１と反端側に位置し、プラグ４に対する嵌合端部になる上端部２１ａと、ソケット２の実装時に基板１の側に位置し、基板１に対する取り付け端部になる下端部２１ｂとを設けている。
【００１３】
また、ボディ２１は、上端部２１ａ側の表面中央部に横長な略矩形状のプラグ嵌合凹部２１ｃを形成し、プラグ嵌合凹部２１ｃの一側に、スリット状の第１コンタクト収容溝２１ｄを２５本、コネクタ長手方向に沿って所定のピッチ間隔で横一列に並べて形成し、プラグ嵌合凹部２１ｃの他側に、スリット状の第２コンタクト収容溝２１ｅを２５本、コネクタ長手方向に沿って所定のピッチ間隔で横一列に並べて形成し、５０本のコンタクト収容溝２１ｄ，２１ｅを、プラグ嵌合凹部２１ｃを挟んで２列に振り分けて千鳥状に配置している。第１コンタクト収容溝２１ｄと第２コンタクト収容溝２１ｅのそれぞれは、上側が上端部２１ａ側の表面にトンネル状に貫通され、下側が下端部２１ｂ側の表面にトンネル状に貫通され、一側縁部がプラグ嵌合凹部２１ｃに開放されている。プラグ嵌合凹部２１ｃのコネクタ長手方向で隣接する１組の角部には、プラグ誤挿入防止用のキー２１ｆが張り出し形成されている。
【００１４】
さらに、ボディ２１の周側表面には、金属カバー装着用に挿入ガイド２１ｇと、挿入ストッパー２１ｈと、抜け止め２１ｉとが形成されている。挿入ガイド２１ｇは、第１金属カバー２４と第２金属カバー２５のそれぞれの側縁部を重ね合わせた状態で圧入可能な直線状の溝からなり、コネクタ長手方向の一端部と他端部のそれぞれの周側表面中央部に上下縦方向に延ばされ、上側が挿入ストッパー２１ｈにより閉鎖され、下側が下端部２１ｂ側の表面に開放されている。挿入ストッパー２１ｈは、上端部２１ａ側の周縁部から周側表面へ金属カバー厚さ寸法に相当して突出するリブからなる。抜け止め２１ｉは、コネクタ短手方向の一端部と他端部のそれぞれの周側表面複数箇所に突出する小さな突起からなり、第１金属カバー２４と第２金属カバー２５のそれぞれが下側から乗り上げ可能に下側にテーパを有している。
【００１５】
第１コンタクト２２のそれぞれと第２コンタクト２３のそれぞれは、良導電性の金属薄板（フープ材）を打ち抜き加工及び曲げ加工して細幅のＬ型金属片に形成されており、屈曲部より一側のプラグ挿入方向に沿って延びる一片で、バネ性を持った可動接片部２２ａ，２３ａと、可動接片部２２ａ，２３ａの上側に設ける山形の接触部２２ｂ，２３ｂとを形成し、屈曲部より他側の一片で、バネ片部２２ａ，２３ａの下側から略直角な方向へ延出して、基板表面１ａの対応する電極に半田接続する外部接続端子部２２ｃ，２３ｃを形成している。
【００１６】
第１金属カバー２４と第２金属カバー２５のそれぞれは、良導電性の金属板を打ち抜き及び曲げ加工して形成されており、第１金属カバー２４は、ボディ２１のコネクタ短手方向の一端部の周側表面と、それに隣接するボディ２１のコネクタ長手方向の一端部と他端部のそれぞれの周側表面の挿入ガイド２１ｇまでの略半分とを一体的にシールドする（覆う）ようにコ字状に形成され、第２金属カバー２５は、ボディ２１のコネクタ短手方向の他端部の周側表面と、それに隣接するボディ２１のコネクタ長手方向の一端部と他端部のそれぞれの周側表面の挿入ガイド２１ｇまでの略半分とを一体的にシールドするようにコ字形状に形成され、これら第１金属カバー２４と第２金属カバー２５との２ピースで、ボディ２１の周側表面全面を一体的にシールドする矩形筒状の金属カバーを構成している。
【００１７】
また、第１金属カバー２４と第２金属カバー２５のそれぞれには、挿入部２４ａ，２５ａと、抜け止め部２４ｂ，２５ｂとが形成されている。挿入部２４ａ，２５ａは、第１金属カバー２４と第２金属カバー２５のそれぞれの側縁部をコネクタ短手方向で重ね合わせるように折り曲げ形成した部分からなる。抜け止め部２４ｂ，２５ｂは、抜け止め２１ｉのそれぞれに対応して第１金属カバー２４と第２金属カバー２５のそれぞれの複数箇所に開設した小さな内外面貫通孔からなる。
【００１８】
また、第１金属カバー２４と第２金属カバー２５のそれぞれには、金属カバーのコネクタ長手方向の一端部と他端部のそれぞれの下側から略直角な方向へ延出して、基板表面１ａの対応する電極に半田接続する一対の外部接続端子部２４ｃ，２５ｃが、１づつ振り分けられて形成されている。第１金属カバー２４の外部接続端子部２４ｃは、第１金属カバー２４のコネクタ長手方向の一端部の下側から略直角な方向へ延出する突片でなり、第２金属カバー２４の外部接続端子部２４ｃは、第２金属カバー２４のコネクタ長手方向の他端部の下側から略直角な方向へ延出する突片でなる。
【００１９】
さらに、第１金属カバー２４と第２金属カバー２５のコネクタ長手方向の一端部と他端部のそれぞれには、サイドロック用に金属カバーのコネクタ長手方向の一端部と他端部のそれぞれの略中央部に２個づつコネクタ短手方向に並べて設けるプラグ抜け止め部２４ｄ，２５ｄが１づつ振り分けられて形成されている。第１金属カバー２４のプラグ抜け止め部２４ｄは、第１金属カバー２４のコネクタ長手方向の一端部と他端部のそれぞれの略中央部に１づつ開設した小さな内外貫通穴からなる。第２金属カバー２５のプラグ抜け止め部２５ｄは、第２金属カバー２５のコネクタ長手方向の一端部と他端部のそれぞれの略中央部に１づつ開設した小さな内外貫通穴からなる。
【００２０】
ソケット２の組み立ては、金属カバーの一方、例えば第１金属カバー２４を、第１金属カバー２４の挿入部２４ａをボディ２１の下端部２１ｂ側からボディ２１の挿入ガイド２１ｇに嵌め込みながら、ボディ２１の周側表面に装着した後、金属カバーの他方、例えば第２金属カバー２５を、第２金属カバー２５の挿入部２５ａをボディ２１の下端部２１ｂ側からボディ２１の挿入ガイド２１ｇに第１金属カバー２４の挿入部２４ａと重ね合わて嵌め込みながら、ボディ２１の周側表面に装着し、或いは、第１金属カバー２４の挿入部２４ａと第２金属カバー２５の挿入部２５ａを重ね合わせるように、第１金属カバー２４と第２金属カバー２５を対向させた状態で、その第１金属カバー２４と第２金属カバー２５を、第１金属カバー２４と第２金属カバー２５の重ね合わせた挿入部２４ａ，２５ａを同時にボディ２１の下端部２１ｂ側からボディ２１の挿入ガイド２１ｇに嵌め込みながら、ボディ２１の周側表面に同時に装着し、この後、フープメッキ後にフープ材（キャリア）から分離された第１コンタクト２２のそれぞれ（この時点の第１コンタクト２２のそれぞれは繋ぎ部によって所定のピッチ間隔で一列に並べられた状態で一体に連結されている）と第２コンタクト２３のそれぞれ（この時点では第２コンタクト２３のそれぞれは繋ぎ部によって所定のピッチ間隔で一列に並べられた状態で一体に連結されている）とを別々或いは同時に、第１コンタクト２２のそれぞれはボディ２１の下端部２１ｂ側からボディ２１の第１コンタクト収容溝２１ｄのそれぞれに１本づつ一括に挿入した後、繋ぎ部を切り離して個別に分離して、ボディ２１の第１コンタクト収容溝２１ｄのそれぞれに１本づつ装着し、第２コンタクト２３のそれぞれはボディ２１の下端部２１ｂ側からボディ２１の第２コンタクト収容溝２１ｅのそれぞれに１本づつ一括に挿入した後、繋ぎ部を切り離して個別に分離して、ボディ２１の第２コンタクト収容溝２１ｅのそれぞれに１本づつ装着することによって、完了する。
【００２１】
而して、ソケット２は、そのボディ２１の周側表面全面が、第１金属カバー２４と第２金属カバー２５からなる２ピース構造の金属カバーでシールドされ、ボディ２１内部から放射したり、ボディ２１内部へ侵入するノイズを抑制することができる。第１金属カバー２４と第２金属カバー２５のそれぞれは、第１金属カバー２４と第２金属カバー２５のそれぞれの挿入部２４ａ，２５ａがボディ２１の挿入ガイド２１ｇのそれぞれに圧入され、第１金属カバー２４と第２金属カバー２５のそれぞれの上側がボディ２１の挿入ストッパー２１ｈに下側から当接して、ボディ２１に対して位置決めされた状態で、第１金属カバー２４と第２金属カバー２５のそれぞれの抜け止め部２４ｂ，２５ｂにボディ２１の対応する抜け止め２１ｉが嵌り込んで、ボディ２１からの抜けが防止され、ボディ２１の周側表面に固定されている。
【００２２】
これにより、ソケット２のコネクタ長手方向の一端部と他端部のそれぞれの周側表面略中央部には、プラグ抜け止め部２４ｄ，２５ｄが２個づつコネクタ短手方向に並べられて設けられると共に、ソケット２のコネクタ長手方向の一端部と他端部のそれぞれの下側には、第１金属カバー２４と第２金属カバー２５のそれぞれと導通のある外部接続端子部２４ｃ，２５ｃが、ソケット２の下端部側の表面、即ちボディ２１の下端部２１ｂ側の表面に沿って突出されて設けられている。
【００２３】
また、ソケット２は、その上端部側の表面中央部、即ちボディ２１の上端部２１ａ側の表面中央部に、横長な略矩形状のプラグ嵌合凹部２１ｃを設け、プラグ嵌合凹部２１ｃの一側に、２５本の第１コンタクト収容溝２１ｄのそれぞれに１本づつ装着された２５本の第１コンタクト２２が、コネクタ長手方向に沿って所定のピッチ間隔で横一列に並べられて保持され、プラグ嵌合凹部２１ｃの他側に、２５本の第２コンタクト収容溝２１ｅのそれぞれに１本づつ装着された２５本の第２コンタクト２３が、コネクタ長手方向に沿って所定のピッチ間隔で横一列に並べられて保持され、５０本のコンタクト２２，２３が、プラグ嵌合凹部２１ｃを挟んで２列に振り分けられて千鳥状に配置され、多数の極数であっても小型化を実現したものになっている。第１コンタクト２２のそれぞれは、屈曲部より一側の可動接片部２２ａと接触部２２ｂが第１コンタクト収容溝２１ｄにコネクタ短手方向に沿って弾性変位可能に収容されて、接触部２２ｂの頂部が可動接片部２２ａのバネ力によってプラグ嵌合凹部２１ｃに突出保持され、屈曲部より一側の外部接続端子部２２ｃがボディ２１の下端部２１ｂからその表面に沿って外部へと引き出されている。第２コンタクト２３のそれぞれは、屈曲部より一側の可動接片部２３ａと接触部２３ｂが第コンタクト収容溝２１ｅにコネクタ短手方向に沿って弾性変位可能に収容されて、接触部２３ｂの頂部が可動接片部２３ａのバネ力によってプラグ嵌合凹部２１ｃに突出保持され、屈曲部より一側の外部接続端子部２３ｃがボディ２１の下端部２１ｂからその表面に沿って外部へと引き出されている。
【００２４】
これにより、ソケット２のプラグ嵌合凹部２１ｃの内部一側には、２５本の第１コンタクト２２のそれぞれの接触部２２ｂが、コネクタ長手方向に沿って所定のピッチ間隔で横一列に並べられて突出保持され、ソケット２のプラグ嵌合凹部２１ｃの内部他側には、２５本の第１コンタクト２３のそれぞれの接触部２３ｂが、コネクタ長手方向に沿って所定のピッチ間隔で横一列に並べられて突出保持され、５０本のコンタクト２２，２３のそれぞれの接触部２２ｂ，２３ｂが、プラグ嵌合凹部２１ｃの内部両側に２列に振り分けられて千鳥状に突出配置されると共に、ソケット２の短手方向の一端部の下側には、２５本の第１コンタクト２２のそれぞれの外部接続端子部２２ｃが、コネクタ長手方向に沿って所定のピッチ間隔で横一列に並べられて引き出され、ソケット２の短手方向の他端部の下側には、２５本の第２コンタクト２３のそれぞれの外部接続端子部２３ｃが、コネクタ長手方向に沿って所定のピッチ間隔で横一列に並べられて引き出されている。
【００２５】
上記のように構成されたソケット２は、基板表面１ａの上にソケット２の下端部側の表面を対向させるように置き（マウント）、基板表面１ａの信号用電極に第１コンタクト２２と第２コンタクト２３のそれぞれの外部接続端子部２２ｃ，２３ｃを半田付けし固定、接続すると共に、基板表面１ａのグランド用電極に第１金属カバー２４と第２金属カバー２５のそれぞれと導通のある外部接続端子部２４ｃ，２５ｃを半田付けし固定、接続する（表面実装）ことで、基板１に実装される。
【００２６】
図７はプラグを分解した状態を示す斜視図、図８（Ａ）はプラグの外観を示す斜視図、図８（Ｂ）はプラグの外観を示す底面図、図８（Ｃ）はプラグの外観を示す側面図、図９はプラグのケーブル接続構造を示す斜視図である。次に、図１〜図４、図７〜図９を参照してプラグ４を説明する。
【００２７】
図７に示すように、プラグ４は、ボディ４１と、２５本の第１コンタクト４２及び２５本の第２コンタクト４３からなる５０本のコンタクトと、第１金属カバー４４及び第２の金属カバー４５からなる２ピース構造の金属カバーとから構成される。
【００２８】
図１〜図４、図７〜図９に示すように、ボディ４１は、絶縁性の合成樹脂材料からなる成型品であり、横長な略直方体状の外形を有し、プラグ４の挿入時に挿入方向前側に位置し、ソケット２に対する挿入端部になる下端部４１ａと、プラグ４の挿入時に挿入方向後側に位置し、同軸ケーブル３郡の接続端部になる上端部４１ｂとを設けている。
【００２９】
また、ボディ４１は、下端部４１ａ側の表面外側部に横長な矩形環状のソケット嵌合凹部４１ｃを形成し、ソケット嵌合凹部４１ｃで囲われる板状部分がコンタクト保持部４１ｄになっており、コンタクト保持部４１ｄの一表面にスリット状の第１コンタクト収容溝４１ｅを２５本、コネクタ長手方向に沿って所定のピッチ間隔で横一列に並べて形成し、コンタクト保持部４１ｄの他表面にスリット状の第２コンタクト収容溝４１ｆを２５本、コネクタ長手方向に沿って所定のピッチ間隔で横一列に並べて形成し、５０本のコンタクト収容溝４１ｅ，４１ｆを、コンタクト保持部４１ｄの一表面と他表面（表裏）で２列に振り分けて千鳥状に配置している。第１コンタクト収容溝４１ｅと第２コンタクト収容溝４１ｆのそれぞれは、下側がコンタクト保持部４１ｄの下端側（先端側）の表面にトンネル状に貫通され、上側が上端部４１ｂ側の表面にトンネル状に貫通されている。コンタクト保持部４１ｄのコネクタ長手方向で隣接する１組の角部には、プラグ誤挿入防止用のキー溝４１ｇが形成されている。
【００３０】
また、ボディ４１の上端部４１ｂ側の表面には、５０本のコンタクト４２，４３の絶縁用に多数の第１絶縁壁４１ｈと、多数の第２絶縁壁４１ｉとが形成されている。第１絶縁壁４１ｈのそれぞれは、第１コンタクト収容溝４１ｅの上側開口列と第２コンタクト収容溝４１ｆの上側開口列との間にある上端部４１ｂ側の表面から、第２コンタクト収容溝４１ｆのそれぞれの上側開口の直後に立ち上げられ、コネクタ長手方向に沿って所定のピッチ間隔で横一列に並べられている。第２絶縁壁４１ｉのそれぞれは、上端部４１ｂ側の表面の同軸ケーブル３郡の引き出し側周縁部に、コネクタ長手方向に沿って所定のピッチ間隔の半分のピッチ間隔で横一列に並べられて立ち上げられている。
【００３１】
また、ボディ４１の周側表面には、金属カバー装着用に挿入ガイド４１ｊと、挿入ストッパー４１ｋと、抜け止め４１ｍとが形成されると共に、ソケット２側の金属カバーとプラグ４側の金属カバーとの導通接続用にコンタクト窓４１ｎが形成されている。挿入ガイド４１ｊは、直線状のやや幅のある溝からなり、コネクタ長手方向の一端部と他端部のそれぞれの周側表面中央部に上下縦方向に延ばされ、下側が後述するサイドロック操作部４１ｑの基部により閉鎖され、上側が上端部４１ｂ側の表面に開放されている。挿入ストッパー４１ｋは、下端部４１ａ側の周縁部からコネクタ短手方向の一端部と他端部のそれぞれの周側表面へ金属カバー厚さ寸法に相当して突出するリブからなる。抜け止め４１ｍは、コネクタ短手方向の一端部と他端部のそれぞれの周側表面複数箇所に突出する小さな突起からなり、第１金属カバー４４と第２金属カバー４５のそれぞれが上側から乗り上げ可能に上側にテーパを有している。コンタクト窓４１は、コネクタ短手方向の一端部と他端部のそれぞれの周側表面複数箇所をソケット嵌合凹部４１ｃに貫通する縦長な矩形状の貫通孔からなる。
【００３２】
さらに、ボディ４１には、サイドロック用にサイドロック窓４１ｐと、可撓性を持ったサイドロック操作部４１ｑとが一体に形成されている。サイドロック窓４１ｐは、挿入ガイド４１ｊのそれぞれの下側底部をソケット嵌合凹部４１ｃに貫通する貫通孔からなる。サイドロック操作部４１ｑは、挿入ガイド４１ｊのそれぞれの下側を閉鎖するように、下端部４１ａ側の周縁部からコネクタ長手方向一端部と他端部のそれぞれの周側表面へ延出した後、挿入ガイド４１ｊのそれぞれの外側で、下端部４１ａ側から上端部４１ｂ側へ連続して延びる片持ち梁状に形成されている。サイドロック操作部４１ｑは、その上側（自由端部側）が上端部４１ｂより突出する高さ（長さ）寸法に形成されている。
【００３３】
そして、ソケット２へのプラグ４の挿入時及びソケット２からのプラグ４の抜き去り時にプラグ４を保持するための一対の摘み部４１ｒが、サイドロック操作部４１ｑのそれぞれの上側に一体に形成されている。
【００３４】
第１コンタクト４２のそれぞれと第２コンタクト４３のそれぞれは、良導電性の金属薄板（フープ材）を打ち抜き加工及び曲げ加工して細幅のＬ型金属片に形成されており、屈曲部より一側のプラグ挿入方向に沿って延びる一片で、固定接片部４２ａ，４３ａを形成し、屈曲部より他側の一片で、固定接片部４２ａ，４３ａの上側からケーブル引き出し方向へ延出して、同軸ケーブル３郡の同軸ケーブル３のそれぞれの中心導体３ａを半田接続するリード部４２ｂ，４３ｂを形成している。第１コンタクト４２のそれぞれのリード部４２ｂは、第２コンタクト４３のそれぞれのリード部４３ｂの長さ寸法より長い長さ寸法を有している。
【００３５】
第１金属カバー４４と第２金属カバー４５のそれぞれは、良導電性の金属板を打ち抜き及び曲げ加工して形成されており、第１金属カバー４４は、ボディ４１のコネクタ短手方向の一端部の周側表面をシールドすると共に、ボディ４１の上端部４１ｂ側の表面をシールドする端板部４４ａと、ボディ４１のコネクタ長手方向の一端部と他端部のそれぞれの周側表面をシールドする一対の側板部４４ｂとを一体に形成し、第２金属カバー４５は、ボディ４１のコネクタ短手方向の他端部の周側表面をシールドすると共に、ボディ４１のコネクタ長手方向の一端部と他端部のそれぞれの周側表面を第１金属カバー４４の側板部４４ｂのそれぞれの内側で二重にシールドする一対の側板部４５ａを一体に形成し、これら第１金属カバー４４と第２金属カバー４５との２ピースで、ボディ４１の周側表面全面と上端部４１ｂ側の表面とを一体的に覆う天付き矩形筒状の金属カバーを構成している。
【００３６】
また、第１金属カバー４４の端板部４４ａは、第１金属カバー４４を上側に延長した延長部を、プラグ４の組み立て段階でボディ４１の上端部４１ｂ側の表面をシールドする際に、ボディ４１の上端部４１ｂ側の表面に沿うように第１金属カバー４４に対して略直角に折り曲げることによって形成され、第１金属カバー４４の側板部４４ｂのそれぞれは、端板部４４ａをコネクタ長手方向の一端側と他端側のそれぞれに延長した部分を、プラグ４の組み立て段階でボディ４１の上端部４１ｂ側の表面を端板部４４ａによってシールドする際に、ボディ４１のコネクタ長手方向の一端部と他端部のそれぞれの周側表面に沿うように端板部４４ａに対して略直角に曲げることによって形成されている。これによって、第１金属カバー４４は、その上側に端板部４４ａが面一に延ばされかつその端板部４４ａのコネクタ長手方向の一端部と他端部のそれぞれの側縁部に側板部４４ｂが折り曲げ形成された半展開状態に成型される。なお、第１金属カバー４４のコネクタ長手方向の一端部と他端部のそれぞれには狭い縁板部４４ｇが形成されている。縁板部４４ｇは、第１金属カバー４４をコネクタ長手方向の一端側と他端側のそれぞれに僅かに延長した部分を、ボディ４１のコネクタ長手方向の一端部と他端部のそれぞれの周側表面に沿うように第１金属カバー４４に対して略直角に折り曲げることによって形成されている。
【００３７】
また、第１金属カバー４４と第２金属カバー４５のそれぞれには、金属カバー装着用に抜け止め部４４ｃ，４５ｂが形成されると共に、ソケット２側の金属カバーとプラグ４側の金属カバーとの導通接続用にコンタクト４４ｄ，４５ｃが形成されている。抜け止め部４４ｃ，４５ｂは、抜け止め４１ｍのそれぞれに対応して第１金属カバー４４と第２金属カバー４５のそれぞれの複数箇所に開設した小さな内外面貫通孔からなる。コンタクト４４ｄ，４５ｃは、コンタクト窓４１ｎのそれぞれに対応して第１金属カバー４４と第２金属カバー４５のそれぞれの複数箇所から切り起こし形成したバネ性を持った片持ち梁状の板バネ片からなる。コンタクト４４ｄ，４５ｃのそれぞれは、上側がプラグ４側の金属カバーとの連設部（固定部）になり、下側がソケット２側の金属カバーに対する接触部（自由部）になり、上側から下側へ向かって漸次、第１金属カバー４４と第２金属カバー４５のそれぞれの内面側へ傾斜状に延出されている。
【００３８】
また、第１金属カバー４４の側板部４４ｂのそれぞれには、第２金属カバー４５との連結用に嵌合部４４ｅが形成されている。嵌合部４４ｅは、第１金属カバー４４の側板部４４ｂのそれぞれの下側の１隅部に開口した内外貫通孔からなる。第２金属カバー４５の側板部４５ａのそれぞれには、第１金属カバー４４との連結用に嵌合突起４５ｄが形成されている。嵌合突起４５ｄは、嵌合部４４ｅに対応して第２金属カバー４５の側板部４５ａの下側の１隅部から外面側へ山形に切り起こし形成した突片からなる。
【００３９】
また、第１金属カバー４４の端板部４４ａのコネクタ長手方向の一端部と他端部のそれぞれから側板部４４ｂのそれぞれには、ボディ４１の上端部４１ｂ側の表面に開放されている挿入ガイド４１ｊのそれぞれの上側とボディ４１のコネクタ長手方向の一端部と他端部のそれぞれの周側表面中央部の挿入ガイド４１ｊ部表面とを覆う部分に切り欠き部４４ｆが連続的に形成されている。
【００４０】
また、第１金属カバー４４の端板部４４ａは、ボディ４１の上端部４１ｂ側の表面を端板部４４ａによってシールドした際に、端板部４４ａの端部がボディ４１の上端部４１ｂ側の表面からケーブル引き出し側へ突出するように、ボディ４１の上端部４１ｂのコネクタ短手方向の幅寸法より長いコネクタ短手方向の幅寸法を有していると共に、第２金属カバー４５には、第１金属カバー４４の端板部４４ａの端部とで同軸ケーブル３郡を上下から挟持する縁板部４５ｅを一体に形成している。縁板部４５ｅは、第２金属カバー４５を上側に延長した部分を、第１金属カバー４４の端板部４４ａの端部の下側でケーブル引き出し方向へ延出するように、第２金属カバー４５に対して略直角に折り曲げることによって形成されている。
【００４１】
第２金属カバー４５の側板部４５ａのそれぞれには、サイドロック用で金属カバー装着用挿入部を兼ねるサイドロック片４５ｆと、サイドロック片４５ｆを側板部４５に支持すると共に、サイドロック片４５ｆを作用位置へ常時付勢するサイドロックバネ４５ｇとを一体に形成している。サイドロックバネ４５ｇは、第２金属カバー４５の側板部４５ａのそれぞれの上側中央部から面一に立ち上げるバネ性を持った片持ち梁状の板バネ片からなり、サイドロックバネ４５ｇのそれぞれの上側（自由端部側）には、サイドロック操作部４１ｑのそれぞれの上側に一体に形成された摘み部４１ｒの内表面に対する接触部４５ｈが形成されている。接触部４５ｈは、サイドロックバネ４５ｇの上側を長さ方向に沿って湾曲させて外側へ張り出すことによって形成されている。サイドロック片４５ｆは、上側が連設部４５ｉを介してサイドロックバネ４５ｇに支持され、サイドロックバネ４５ｇの内側から側板部４５ａの内側中央部へ連続して延出されるバネ性を持った片持ち梁状の板バネ片からなる。連設部４５ｉは、サイドロック片４５ｆの上側一側縁部とサイドロックバネ４５ｇの一側縁部との間を連続一体に繋ぎ、サイドロック片４５ｆをサイドロックバネ４５ｇ及び側板部４５ａから内側へ挿入ガイド４１ｊの深さ寸法に相当して引き離した状態で支持している。サイドロック片４５ｆの下側（自由端部側）には、プラグ抜け止め４５ｊが形成されている。プラグ抜け止め４５ｊは、サイドロック片４５ｆの下側両側縁部から面一に突出させる部分を略直角に折り曲げて、サイドロック片４５ｆの内側へ突出させる一対の小さな突起からなり、挿入ガイド４１ｊの上側から底面に乗り上げ可能に下側にテーパを有している。
【００４２】
プラグ４の組み立ては、フープメッキ後にフープ材（キャリア）から分離された第１コンタクト４２のそれぞれ（この時点の第１コンタクト４２のそれぞれは繋ぎ部によって所定のピッチ間隔で一列に並べられた状態で一体に連結されている）と第２コンタクト４３のそれぞれ（この時点の第２コンタクト４３のそれぞれは繋ぎ部によって所定のピッチ間隔で一列に並べられた状態で一体に連結されている）とを別々或いは同時に、第１コンタクト４２のそれぞれは、屈曲部より一側の固定接片部４２ａをボディ４１の上端部４１ｂ側からボディ４１の第１コンタクト収容溝４１ｅのそれぞれに１本づつ一括に圧入し、屈曲部より他側のリード部４２ｂをボディ４１の上端部４１ｂ側の表面でケーブル引き出し方向へ引き出し、そのリード部４２ｂの根元側をボディ４１の上端部４１ｂ側の表面にある第１絶縁壁４１ｈのそれぞれの間に圧入すると共に、そのリード部４２ｂの先端側をボディ４１の上端部４１ｂ側の表面にある第２絶縁壁４１ｉのそれぞれ間に１つ置きに圧入した後、繋ぎ部を切り離して個別に分離して、ボディ４１に装着し、第２コンタクト４３のそれぞれは、屈曲部より一側の固定接片部４３ａをボディ４１の上端部４１ｂ側からボディ４１の第２コンタクト収容溝４１ｆのそれぞれに１本づつ一括に圧入し、屈曲部より他側のリード部４３ｂをボディ４１の上端部４１ｂ側の表面上で、第１コンタクト４２のそれぞれのリード部４２ｂの間からケーブル引き出し方向へ引き出し、そのリード部４３ｂの先端側をボディ４１の上端部４１ｂ側の表面にある第２絶縁壁４１ｉのそれぞれ間に１つ置きに（第１コンタクト４２のリード部４２ｂと交互に）圧入した後、繋ぎ部を切り離して個別に分離して、ボディ４１に装着する。
【００４３】
これにより、ボディ４１のコンタクト保持部４１ｄの一表面には、２５本の第１コンタクト収容溝４１ｅのそれぞれに１本づつ圧入された２５本の第１コンタクト４２のそれぞれの屈曲部より一側の固定接片部４２ａが、コネクタ長手方向に沿って所定のピッチ間隔で横一列に並べられて保持され、ボディ４１のコンタクト保持部４１ｄの他表面には、２５本の第２コンタクト収容溝４１ｆのそれぞれに１本づつ圧入された２５本の第２コンタクト４３のそれぞれの屈曲部より一側の固定接片部４３ａが、コネクタ長手方向に沿って所定のピッチ間隔で横一列に並べられて保持され、５０本のコンタクト４２，４３のそれぞれの屈曲部より一側の固定接片部４２ａ，４３ａが、コンタクト保持部４１ｄの一表面と他表面（表裏）で２列に振り分けられて千鳥状に配置される一方、ボディ４１の上端部４１ｂ側の表面には、２５本の第１コンタクト４２のそれぞれの屈曲部より他側のリード部４２ｂと、２５本の第２コンタクト４３のそれぞれの屈曲部より他側のリード部４３ｂとが、第１絶縁壁４１ｈのそれぞれと第２絶縁壁４１ｉのそれぞれとによって、コネクタ長手方向に沿って交互に所定のピッチ間隔で横一列に並べられて保持され、５０本のコンタクト４２，４３のそれぞれの屈曲部より他側のリード部４２ｂ，４３ｂが、ボディ４１の上端部４１ｂ側の表面に、コネクタ長手方向に沿って所定のピッチ間隔の半分のピッチ間隔で横一列に並べられて保持される。
【００４４】
この後、端板部４４ａを設けない金属カバー、即ち第２金属カバー４５を、第２金属カバー４５のサイドロック片４５ｆをボディ４１の上端部４１ｂ側からボディ４１の挿入ガイド４１ｊにその底面に沿わせて嵌め込むと共に、第２金属カバー４５のコンタクト４５ｃのそれぞれをボディ４１の上端部４１ｂ側からボディ４１の対応するコンタクト窓４１ｎに嵌め込みがら、ボディ４１の周側表面に装着した後、端板部４４ａを設ける半展開状態の金属カバー、即ち半展開状態の第１金属カバー４４を、第１金属カバー４５の縁板部４４ｇのそれぞれをボディ４１をコネクタ長手方向の一端部と他端部のそれぞれの周側表面に沿わせると共に、第１金属カバー４４のコンタクト４４ｄのそれぞれをボディ４１の上端部４１ｂ側からボディ４１の対応するコンタクト窓４１ｎに嵌め込みがら、ボディ４１の周側表面に装着する。
【００４５】
次に、５０本の同軸ケーブル３のプラグ接続端部に対して被膜剥ぎを行い、中心導体３ａ及び外部導体３ｃを露出させた同軸ケーブル３郡を用意し、その同軸ケーブル３郡のプラグ接続端部をボディ４１の上端側４１ｂの表面側に配置し、５０本の同軸ケーブル３のそれぞれの中心導体３ａを、５０本のコンタクト４２，４３のそれぞれのリード部４２ｂ，４３ｂの表面上に密着配置すると共に、５０本の同軸ケーブル３のそれぞれの外部導体３ｃを、第２金属カバー４５に一体に形成した縁板部４５ｅの表面上に密着配置する。そして、５０本の同軸ケーブル３のそれぞれの中心導体３ａを５０本のコンタクト４２，４３のそれぞれのリード部４２ｂ，４３ｂにパルスヒートにより半田付けし固定、接続した後、５０本の同軸ケーブル３のそれぞれの外部導体３ｃを第２金属カバー４５に一体に形成した縁板部４５ｅにパルスヒートにより一括に半田付けし固定、接続する。
【００４６】
最後に、半展開状態の第１金属カバー４４の上側を折り曲げることにより、第１金属カバー４４の上側に一体に形成された端板部４４ａをボディ４１の上端部４１ｂ側の表面上に倒伏させると共に、その端板部４４ａのコネクタ長手方向の一端部と他端部のそれぞれの側縁部に形成されて第１金属カバー４４に一体に形成された側板部４４ｂを、ボディ４１の長手方向の一端部と他端部のそれぞれの周側表面に装着されている第２金属カバー４５の側板部４５ａ及び第１金属カバー４４の縁板部４４ｇの外側に重ね合わせ、第１金属カバー４４を最終の装着形状に形成する。そして、第２金属カバー４５に一体に形成された縁板部４５ｅの表面上に一括に半田接続されている５０本の同軸ケーブル３のそれぞれの外部導体３ｃに、第１金属カバー４４の端板部４４ａの端部を上側から密着させた後、５０本の同軸ケーブル３のそれぞれの外部導体３ｃを第１金属カバー４４の端板部４４ａの端部にパルスヒートにより一括に半田付けし固定、接続することによって、完了する。
【００４７】
而して、プラグ４は、その下端部側の表面外側部、即ちボディ４１の下端部４１ａ側の表面外側部に、横長な矩形環状のソケット嵌合凹部４１ｃを設け、ソケット嵌合凹部４１ｃで囲われる板状部分でコンタクト保持部４１ｄを形成している。また、プラグ４は、その下端部側の表面以外、即ちボディ４１の周側表面全面と上端部４１ｂ側の表面とが、第１金属カバー４４と第２金属カバー４５からなる２ピース構造の金属カバーでシールドされ、ボディ４１内部から放射したり、ボディ４１内部へ侵入するノイズを抑制することができる。第１金属カバー４４と第２金属カバー４５のそれぞれは、ボディ４１の長手方向の一端部と他端部のそれぞれの周側表面で重ね合わされている第２金属カバー４５の側板部４５ａと第１金属カバー４４の側板部４４ａとが、第２金属カバー４５の側板部４５ａの嵌合突起４５ｄに第１金属カバー４４の側板部４４ａの嵌合部４４ｅが嵌り込んで連結されて、天付き矩形筒状の保形された状態で、第１金属カバー４４と第２金属カバー４５のそれぞれの抜け止め部４４ｃ，４５ｂにボディ４１の対応する抜け止め４１ｍが嵌り込んで、ボディ４１からの抜けが防止され、ボディ４１の周側表面と上端部４１ｂ側の表面に固定されている。
【００４８】
これにより、プラグ４のコネクタ長手方向の一端部と他端部のそれぞれには、サイドロックバネ４５ｇとサイドロック片４５ｆとサイドロック操作部４１ｑとが設けられる。
【００４９】
サイドロックバネ４５ｇは、ボディ４１の長手方向の一端部と他端部のそれぞれの周側表面をシールドしている第２金属カバー４５の側板部４５ａのそれぞれの上側中央部から面一に立ち上げられるバネ性を持った片持ち梁状の板バネ片からなり、プラグ４の上端部側の表面、即ちボディ４１の上端部４１ｂ側の表面をシールドしている第１金属カバー４４の端板部４４ａの表面より上側に突出し、サイドロック片４５ｆの上側を連設部４５ｉを介して支持している。
【００５０】
サイドロック片４５ｆは、その上側が連設部４５ｉを介してサイドロックバネ４５ｇの内側でサイドロックバネ４５ｇと連続一体に繋がれて、プラグ４の上端部側の表面より上側から下側へ連続して延出されるバネ性を持った片持ち梁状の板バネ片からなり、第１金属カバー４４の切り欠き部４４ｆを通してボディ４１の挿入ガイド４１ｊ内へその底面に沿って挿入されている。また、サイドロック片４５ｆには、その下側両側縁部から内側へ突出させた一対の小さな突起からなるプラグ抜け止め４５ｊが形成され、プラグ抜け止め４５ｊは、サイドロックバネ４５ｇとサイドロック片４５ｆのバネ力によってボディ４１のサイドロック窓４１ｐを通してボディ４１のソケット嵌合凹部４１ｃに突出保持されている。
【００５１】
サイドロック操作部４１ｑは、ボディ４１の下端部４１ａ側の周縁部からボディ４１の長手方向の一端部と他端部のそれぞれの周側表面を二重にシールドしている第２金属カバー４５の側板部４５ａと第１金属カバー４４の側板部４４ａの下側に延出された後、その第２金属カバー４５の側板部４５ａと第１金属カバー４４の側板部４４ａの外側で、プラグ４の下端部側から上端部側へ連続して延びる片持ち梁状に形成されて、可撓性を持ち、サイドロック操作部４１ｑの上側が、サイドロックバネ４５ｇの外側でプラグ４の上端部側の表面より上側に突出している。
【００５２】
そして、サイドロック操作部４１ｑの上側には、ソケット２へのプラグ４の挿入時及びソケット２からのプラグ４の抜き去り時にプラグ４を保持するための摘み部４１ｒが一体に形成され、これにより、プラグ４のコネクタ長手方向の一端部と他端部のそれぞれには、一対の摘み部４１ｒがプラグ４の上端部側の表面より上側に突出させた状態で設けられている。また、サイドロックバネ４５ｇには、その上側から外側へ張り出した接触部４５ｈが形成され、接触部４５ｈは、サイドロックバネ４５ｇとサイドロック片４５ｆのバネ力によって摘み部４１ｒの内表面に接触保持されている。
【００５３】
また、プラグ４には、ソケット２側の金属カバーとプラグ４側の金属カバーとの導通接続用にコンタクト４４ｄ，４５ｃが設けられている。コンタクト４４ｄ，４５ｃは、第１金属カバー４４と第２金属カバー４５のそれぞれの複数箇所から切り起こし形成したバネ性を持った片持ち梁状の板バネ片からなり、第１金属カバー４４と第２金属カバー４５のそれぞれと導通があり、ソケット２側の金属カバーに対する接触部が、コンタクト４４ｄ，４５ｃのバネ力によってボディ４１のコンタクト窓４１ｎを通してボディ４１のソケット嵌合凹部４１ｃに突出保持されている。
【００５４】
さらに、プラグ４は、同軸ケーブル３郡の５０本の同軸ケーブル３のそれぞれの中心導体３ａに接続する２５本の第１コンタクト４２と２５本の第２コンタクト４３からなる５０本のコンタクト４２，４３を設け、その５０本のコンタクト４２，４３のそれぞれをＬ型に形成し、５０本のコンタクト４２，４３のそれぞれの屈曲部より一側の一片、即ちソケット２へのプラグ４の挿入方向に沿って延びる固定接片部４２ａが、コンタクト保持部４１ｄの一表面と他表面（表裏）で１列２５本で２列に振り分けられて千鳥状に配置される一方、ボディ４１の上端部４１ｂ側の表面に、５０本のコンタクト４２，４３のそれぞれの屈曲部より他側の一片、即ちソケット２へのプラグ４の挿入方向とは略直角なケーブル引き出し方向へ延びるリード部４２ｂ，４３ｂが、コネクタ長手方向に沿って所定のピッチ間隔の半分のピッチ間隔で横一列に並べられて保持され、多数の極数であっても小型化を実現したものになっている。
【００５５】
そして、同軸ケーブル３郡の５０本の同軸ケーブル３のそれぞれの中心導体３ａを、ボディ４１の上端部４１ｂ側の表面にコネクタ長手方向に沿って所定のピッチ間隔の半分のピッチ間隔で横一列に並べられている５０本のコンタクト４２，４３のそれぞれのリード部４２ｂ，４３ｂに半田接続すると共に、ボディ４１をシールドする金属カバー４４，４５に、ボディ４１の上端部４１ｂ側の表面をシールドする端板部４４ａを設け、同軸ケーブル３郡の５０本の同軸ケーブル３のそれぞれの外部導体３ｃを、金属カバー４４，４５と導通のある端板部４４ａに一括に半田接続することにより、同軸ケーブル３郡の５０本の同軸ケーブル３を、プラグ４の上端部側からソケット２へのプラグ４の挿入方向とは略直角な方向へ引き出されている。
【００５６】
また、プラグ４の金属カバーを、端板部４４ａを設ける第１金属カバー４４と端板部４４ａを設けない第２金属カバー４５の２ピース構造とし、端板部４４ａを設けない第２金属カバー４５に、同軸ケーブル３郡の５０本の同軸ケーブル３のそれぞれの外部導体３ｃを端板部４４ａの端部とで一括に挟持する縁板部４５ｅを一体に形成して、同軸ケーブル３郡の５０本の同軸ケーブル３のそれぞれの外部導体３ｃを、第１金属カバー４４の端板部４４ａの端部と第２金属カバー４５の縁板部４５ｅのそれぞれに対して半田接続できるようにし、プラグ４と同軸ケーブル３郡との接続の強度及び信頼性を高めている。
【００５７】
次に、図１〜図４を参照して、本実施の形態に係るコネクタの嵌合操作（ソケット２へのプラグ４の挿入操作）と分離操作（ソケット２からのプラグ４の抜き去り）について説明する。
【００５８】
本実施の形態に係るコネクタを嵌合するには、プラグ４を保持して基板１に実装されたソケット２の上側に配置し、プラグ４の下端部側の表面をソケット２の上端部側の表面と対向させる。そして、プラグ４を下降させて、プラグ４のソケット嵌合凹部４１ｃの外周部をソケット２の外側に嵌め込み、ソケット２のプラグ嵌合凹部２１ｃの外周部をプラグ４のソケット嵌合凹部４１ｃに嵌め込み、プラグ４のソケット嵌合凹部４１ｃで囲われているコンタクト保持部４１ｄをソケット２のプラグ嵌合凹部２１ｃに嵌め込みながら、プラグ４をソケット２に基板表面１ａとは略垂直な方向へ挿入して嵌合する。
【００５９】
これにより、プラグ４の５０本のコンタクト４２，４３のそれぞれの固定接片部４２ａ，４３ａにソケット２の５０本のコンタクト２２，２３のそれぞれの接触部２２ｂ，２３ｂが押し付けられて接触し、プラグ４の５０本のコンタクト４２，４３がソケット２の５０本のコンタクト２２，２３のそれぞれに導通接続され、同軸ケーブル３郡の５０本の同軸ケーブル３のそれぞれの中心導体３ａが基板１の信号用電極に接続されると共に、ソケット２の第１金属カバー２４と第２金属カバー２５のそれぞれにプラグ４のコンタクト４４ｄのそれぞれの接触部が押し付けられて接触し、プラグ４の第１金属カバー４４と第２金属カバー４５のそれぞれがソケット２の第１金属カバー２４と第２金属カバー２５のそれぞれに導通接続され、同軸ケーブル３郡の５０本の同軸ケーブル３のそれぞれの外部導体３ｃが基板１のグランド用電極に接続され、同軸ケーブル３郡の５０本の同軸ケーブル３を基板１に接続することができる。
【００６０】
そして、本実施の形態に係るコネクタは、上記のようなソケット２へのプラグ４の挿入に際し、同軸ケーブル３郡がソケット２へのプラグ４の挿入方向とは略直角な方向へ引き出されているので、同軸ケーブル３郡がプラグ４の保持及びソケット２への挿入操作の邪魔にならず、プラグ４をソケット２に対して容易に挿入することができる。また、プラグ４をソケット２に基板表面１ａとは略垂直な方向へ挿入して嵌合するので、プラグ４をソケット２に対して容易に挿入することができると共に、基板表面１ａにプラグ４の挿抜用にスペースが不要になり、基板表面１ａに対する実装部品の高密度化を図ることができる。
【００６１】
また、プラグ４の長手方向の一端部と他端部のそれぞれには、一対の摘み部４１ｒがプラグ４の上端部側の表面より上側に突出させた状態で設けられているので、この摘み部４１ｒを用いて、例えば図３に示すように親指と人指し指の２本の指６ａ，６ｂでプラグ４を保持することにより、コネクタが小型且つ低背化されたものであっても、プラグ４を容易に且つ適正に保持できるため、プラグ４をソケット２に対して容易に挿入することができると共に、ソケット２へのプラグ４の不適正な挿入も防止することができ、コネクタを破損させる危険性を低減することができる。
【００６２】
さらに、プラグ４の長手方向の一端部と他端部のそれぞれには、サイドロック片４５ｆが設けられ、そのサイドロック片４５ｆによってソケット２へのプラグ４の完全挿入時にサイドロックを掛ける構造になっている。
【００６３】
即ちサイドロック片４５ｆの下側に形成されて、ソケット２へのプラグ４の挿入前には、サイドロックバネ４５ｇとサイドロック片４５ｆのバネ力によってボディ４１のサイドロック窓４１ｐを通してボディ４１のソケット嵌合凹部４１ｃに突出保持されているプラグ抜け止め４５ｊが、ソケット２へのプラグ４の挿入時には、ソケット２の長手方向の一端側と他端側のそれぞれの金属の周側表面を摺動して外側へ押圧され、サイドロックバネ４５ｇとサイドロック片４５ｆのバネ力に抗してボディ４１のサイドロック窓４１ｐ内に押し出され、ソケット２へのプラグ４の完全挿入時には、ソケット２の長手方向の一端側と他端側のそれぞれの金属の周側表面略中央部に設けられたプラグ抜け止め部２４ｄ，２５ｄに対応して、そのプラグ抜け止め部２４ｄ，２５ｄにサイドロックバネ４５ｇとサイドロック片４５ｆのバネ力によって嵌め込まれることによって、ソケット２からのプラグ４の抜けを防止することができる。このように、ソケット２へのプラグ４の完全挿入時にソケット２に自動的に係合するバネ性を持ったサイドロック片４５ｆによってサイドロックを掛けることで、ソケット２とプラグ４との嵌合信頼性を確保している。
【００６４】
さらに、プラグ４の長手方向の一端部と他端部にそれぞれには、サイドロック操作部４１ｑが設けられ、一対の摘み部４１ｒは、サイドロック操作部４１ｑのそれぞれの上側に一体に形成されて、プラグ４のコネクタ長手方向の一端部と他端部のそれぞれにプラグ４の上端部側の表面より上側に突出させた状態で設けられているので、摘み部４１ｒを用いてプラグ４を保持すると、図３に示すように、摘み部４１ｒ（サイドロック操作部４１ｑの上側）が内側へ押圧されて、サイドロック操作部４１ｑが内側へ撓み変形し、摘み部４１ｒの内表面（サイドロック操作部４１ｑの上側の内表面）でロックバネ４５ｇの上側の接触部４５ｈが内側へ押圧される。この押圧に伴って、サイドロックバネ４５ｇがその下側の根元部を支点に内側へ傾倒操作されると共に、そのサイドロックバネ４５ｇに上部が支持されているサイドロック片４５ｆは、その上部が内側へ押圧されて、ボディ４１の挿入ガイド４１ｊの上側底面を支点にシーソーのように傾倒操作され、サイドロック片４５ｆの下側がボディ４１の挿入ガイド４１ｊの底面から外側へ引き離され、サイドロック片４５ｆの下側に形成されたプラグ抜け止め４５ｊが、サイドロックバネ４５ｇとサイドロック片４５ｆのバネ力に抗してソケット嵌合凹部４１ｃから強制的に引き抜かれる。このように、プラグ４の摘み部４１ｒを用いて保持することによって、サイドロック操作部４１ｑによりサイドロック片４５ｆをソケット２に係合しない非作用位置に強制的に変位させ、サイドロックを解除することができるので、プラグ４の挿入操作性を損なうことなく、ソケット２とプラグ４との嵌合信頼性を確保することができる。
【００６５】
なお、プラグ４を摘み部４１ｒを用いて保持してソケット２へ完全挿入した場合には、ソケット２へのプラグ４の完全挿入時に摘み部４１ｒから指６ａ，６ｂを離すことによって、サイドロックを掛けることができる。ここで、同軸ケーブル３郡をソケット２へのプラグ４の挿入方向とは略直角な方向へ引き出されているので、プラグ４の上端部側には、ボディ４１の上端部４１ｂ側の表面をシールドしている第１金属カバー４４の端板部４４ａによって、プラグ４をソケット２への挿入方向へ押圧可能な平坦なスペースができている。そして、プラグ４を摘み部４１ｒを用いて保持してソケット２へある程度挿入した以降は、プラグ４がソケット２に斜めに挿入されることは殆どないため、プラグ４の摘み部４１ｒから指６ａ，６ｂを離し、プラグ４の上端部側の表面を指で押し下げることで、プラグ４をソケット２に完全挿入してもよい。この場合も、ソケット２へのプラグ４の完全挿入時にサイドロックを掛けることができる。
【００６６】
一方、本実施の形態に係るコネクタを分離するには、摘み部４１ｒを用いて、例えば親指と人指し指の２本の指６ａ，６ｂでプラグ４を保持し、サイドロックを解除した状態で、そのまま真上に引き抜きながら、ソケット２から基板表面１ａとは略垂直な方向へ抜き去る。
【００６７】
そして、本実施の形態に係るコネクタは、上記のようなソケット２からのプラグ４の抜き去りに際し、ソケット２へのプラグ４の挿入と同様に、同軸ケーブル３郡がプラグ４の保持及びソケット２からの抜き去り操作の邪魔にならず、プラグ４をソケット２から容易に抜き去ることができる。また、摘み部４１ｒを用いて、例えば親指と人指し指の２本の指６ａ，６ｂでプラグ４を保持することにより、コネクタが小型且つ低背化されたものであっても、プラグ４を容易に且つ適正に保持できるため、プラグ４をソケット２から容易に抜き去ることができると共に、ソケット２からのプラグ４の不適正な抜き去りも防止することができ、コネクタを破損させたり、同軸ケーブル３郡の同軸ケーブル３のそれぞれを断線させる危険性を低減することができる。さらに、プラグ４の摘み部４１ｒを用いて保持することによって、サイドロック操作部４１ｑによりサイドロック片４５ｆをソケット２に係合しない非作用位置に強制的に変位させ、サイドロックを解除することができるので、プラグ４の抜き去り操作性を損なうことなく、ソケット２とプラグ４との嵌合信頼性を確保することができる。
【００６８】
而して、本実施の形態のコネクタは、ソケット２へのプラグ４の挿入時及びソケット２からのプラグ４の抜き去り時にプラグ４を摘み部４１ｒを用いて、例えば親指と人指し指の２本の指６ａ，６ｂで容易且つ適正に保持できるため、プラグ４を容易に挿抜できると共に、プラグ４の不適正な挿抜も防止でき、コネクタを破損させたり、同軸ケーブル３郡の同軸ケーブル３のそれぞれを断線させる危険性を低減できる。また、ソケット２へのプラグ４の完全挿入時にはサイドロックを掛ける一方で、摘み部４１ｒをサイドロック操作部４１ｑに一体に形成したことにより、プラグ４の摘み部４１ｒを用いての保持によってサイドロックを解除できるため、プラグ４の挿抜操作性を損なうことなく、ソケット２とプラグ４との嵌合信頼性を確保できる。
【００６９】
また、ソケット２のボディ２１の周側表面全面が金属カバー２４，２５でシールドされ、プラグ４のボディ４１の周側表面全面と上端部４１ｂ側の表面とが金属カバー４４，４５でシールドされ、コネクタ内部から放射したり、コネクタ内部へ侵入するノイズを抑制することができる。
【００７０】
また、ソケット２の５０本のコンタクト２２，２３が、プラグ嵌合凹部２１ｃを挟んで２列に振り分けられて千鳥状に配置され、プラグ４の５０本のコンタクト４２，４３のそれぞれの屈曲部より一側の一片、即ちソケット２へのプラグ４の挿入方向に沿って延びる固定接片部４２ａが、コンタクト保持部４１ｄの一表面と他表面（表裏）で１列２５本で２列に振り分けられて千鳥状に配置される一方、プラグ４の５０本のコンタクト４２，４３のそれぞれの屈曲部より他側の一片、即ちソケット２へのプラグ４の挿入方向とは略直角なケーブル引き出し方向へ延びるリード部４２ｂ，４３ｂが、ボディ４１の上端部４１ｂ側の表面に、コネクタ長手方向に沿って所定のピッチ間隔の半分のピッチ間隔で横一列に並べられて保持され、多数の極数であっても小型化を実現したものになっている。
【００７１】
また、プラグ４のコネクタ長手方向一端部と他端部のそれぞれに、ソケット２へのプラグ４の完全挿入時にソケット２に自動的に係合するバネ性を持ったサイドロック片４５ｆと、そのサイドロック片４５ｆをソケット２に係合しない非作用位置に強制的に変位させる可撓性を持ったサイドロック操作部４１ｑとを設けて、サイドロック機構を構成しているが、サイドロック片４５ｆをプラグ４の金属カバー４５に一体に形成し、サイドロック操作部４１ｑをプラグ４ボディに一体に形成しているので、コネクタの部品点数及び組み立て工数を増やすことなく、コストを抑えてサイドロック機能を付加し、ソケット２とプラグ４との嵌合信頼性を確保することができると共に、樹脂製のサイドロック操作部４１ｑを設けたことにより、金属製のサイドロック片４５ｆを直接指に触れることなく操作でき、安全且つ容易にソケット２へのプラグ４の挿入及びソケット２からのプラグ４の抜き去りを行うことができる。
【００７２】
図１０は本発明の他の実施の形態に係るコネクタのプラグの外観を示す斜視図である。次に、図１０を参照して本発明の他の実施の形態に係るコネクタを説明する。
【００７３】
図１０に示すように、他の実施の形態に係るコネクタは、プラグ４の第１金属カバー４４に設けた端板部４４ａの端部に、同軸ケーブル３郡の５０本の同軸ケーブル３の一部の外部導体３ｃに対して押し付けて接触させるバネ性を持った複数の第１接片７ａと、プラグ４の第２金属カバー４５に設けた縁板部４５ｅのコネクタ長手方向の一端部と他端部のそれぞれに押し付けて接触させるバネ性を持った一対の第２接片７ｂとを、切り起こし形成により一体に設け、複数の第１接片７ａを同軸ケーブル３郡の５０本の同軸ケーブル３の一部の外部導体３ｃに対して押し付けて接触させ、一対の第２接片７ｂを縁板部４５ｅのコネクタ長手方向の一端部と他端部のそれぞれに押し付けて接触させた後、半田付けにより固定、接続し、端板部４４ａの端部と５０本の同軸ケーブル３のそれぞれの外部導体３ｃとのパルスヒートによる半田接続を省略している。これ以外は、図１〜図１０に示した本発明の実施の形態に係るコネクタと同じ構造及び機能を有するものである。
【図面の簡単な説明】
【００７４】
【図１】本発明の実施の形態に係るコネクタをコネクタ短手方向に沿って縦に切った嵌合前の断面図である。
【図２】本発明の実施の形態に係るコネクタをコネクタ短手方向に沿って縦に切った嵌合後の断面図である。
【図３】本発明の実施の形態に係るコネクタをコネクタ長手方向に沿って縦に切った嵌合前の断面図である。
【図４】本発明の実施の形態に係るコネクタをコネクタ長手方向に沿って切った嵌合後の断面図である。
【図５】基板側コネクタを分解した状態を示す斜視図である。
【図６】（Ａ）基板側コネクタの外観を示す斜視図、（Ｂ）基板側コネクタの外観を示す底面図、（Ｃ）基板側コネクタの外観を示す側面図である。
【図７】ケーブル側コネクタを分解した状態を示す斜視図である。
【図８】（Ａ）ケーブル側コネクタの外観を示す斜視図、（Ｂ）ケーブル側コネクタの外観を示す底面図、（Ｃ）ケーブル側コネクタの外観を示す側面図である。
【図９】ケーブル側コネクタのケーブル接続構造を示す斜視図である。
【図１０】本発明の他の実施の形態に係るコネクタのケーブル側コネクタの外観を示す斜視図である。
【符号の説明】
【００７５】
１  基板
１ａ  基板表面
２  ソケット（基板側のコネクタ）
３  同軸ケーブル
３ａ  中心導体
３ｃ  外部導体
４  プラグ（ケーブル側のコネクタ）
２１  ボディ
２２  第１コンタクト
２３  第２コンタクト
２４  第１金属カバー
２５  第２金属カバー
４１  ボディ
４１ｑ  サイドロック操作部
４１ｒ  摘み部
４２  第１コンタクト
４２ｂ  リード部
４３  第２コンタクト
４３ｂ  リード部
４４  第１金属カバー
４４ａ  端板部
４５  第２金属カバー
４５ｅ  縁板部
４５ｆ  サイドロック片
【図１】
2008166094.tif 000003
【図２】
2008166094.tif 000004
【図３】
2008166094.tif 000005
【図４】
2008166094.tif 000006
【図５】
2008166094.tif 000007
【図６】
2008166094.tif 000008
【図７】
2008166094.tif 000009
【図８】
2008166094.tif 000010
【図９】
2008166094.tif 000011
【図１０】
2008166094.tif 000012